(57)【要約】【課題】視覚効果を高めること。【解決手段】実施形態の面状照明装置は、光学部材と、光源部とを備える。光学部材は、平板状に形成された基部を有する。光源部は、光学部材の基部の側面に沿って配置される。また、光源部から入光された光の基部における輝度分布において、明部と暗部の境界が側面と直交する線に対して傾斜する。【選択図】図１
2017204367.tif 000002
【特許請求の範囲】
【請求項１】
平板状に形成された基部を有する光学部材と、
前記光学部材の前記基部の側面に沿って配置される光源部と
を備え、
前記光源部から入光された光の前記基部における輝度分布において、明部と暗部の境界が前記側面と直交する線に対して傾斜する、面状照明装置。
【請求項２】
前記光学部材の前記基部は、透明体であるとともに、前記基部の厚み方向の一方側に形成され所定の方向に並ぶプリズム部であって、前記所定の方向に沿う断面において前記基部の厚み方向が直交する面に対する傾斜角度が０度以上８度以内である第１領域に、プリズム形状を有する第２領域が連続し、前記所定の方向の長さにおける前記第１領域の割合が６０％以上１００％未満であるプリズム部を備える、請求項１に記載の面状照明装置。
【請求項３】
前記光源部は、前記基部の前記側面において不均一な輝度分布となるように光を放射する、請求項１または２に記載の面状照明装置。
【請求項４】
前記側面に焦点を合わせた状態で、前記光源部から放射される光の輝度分布における明部と暗部の輝度比が少なくとも８０％以下である、請求項２に記載の面状照明装置。
【請求項５】
前記側面に焦点を合わせた状態で、前記光源部から放射される光の輝度分布における明部と暗部の輝度比が５０％以下である、請求項４に記載の面状照明装置。
【請求項６】
前記光源部は、前記基部の前記側面に沿って配置される複数の光源を有する、請求項２〜５のいずれか１つに記載の面状照明装置。
【請求項７】
前記光源部は、前記基部の前記側面において均一な輝度分布となるように光を放射し、
前記基部の前記側面と直交する面は、光の吸収面又は散乱面である、請求項１または２に記載の面状照明装置。
【請求項８】
前記吸収面又は前記散乱面における光の吸収度が少なくとも０．０５以上である、請求項７に記載の面状照明装置。
【請求項９】
前記吸収面又は前記散乱面における光の吸収度が０．３以上である、請求項８に記載の面状照明装置。
【請求項１０】
前記光源部は、前記基部の前記側面において均一な輝度分布となるように光を放射し、
前記光源部と前記基部との間における前記基部の前記側面と直交する向きの端部に光の吸収面又は光の散乱面を備える、請求項２に記載の面状照明装置。
【請求項１１】
前記光源部と前記基部との間の距離が少なくとも０．１ｍｍ以上２０ｍｍ以下であり、前記吸収面を備える場合、前記吸収面における光の全反射率が少なくとも９０％以下であり、前記散乱面を備える場合、前記散乱面における光の散乱の広がりをガウス分布で表した場合に前記ガウス分布の半値全幅が少なくとも５度以上である、請求項１０に記載の面状照明装置。
【請求項１２】
前記光源部と前記基部との間の距離が１ｍｍ以上１０ｍｍ以下である、請求項１１に記載の面状照明装置。
【請求項１３】
前記吸収面における全反射率が５０％以下である、請求項１１または１２に記載の面状照明装置。
【請求項１４】
前記散乱面における光の散乱の広がりをガウス分布で表した場合に前記ガウス分布における半値全幅が３０度以上である、請求項１１〜１３のいずれか１つに記載の面状照明装置。
【請求項１５】
前記光源部は、前記基部における前記側面と直交する向きの一方半部又は他方半部に向けて光を放射する、請求項１または２に記載の面状照明装置。
【発明の詳細な説明】
【技術分野】
【０００１】
本発明は、面状照明装置に関する。
【背景技術】
【０００２】
従来、自動車のハイマウントストップライト等に用いられる面状照明装置が提供されている。このような面状照明装置では、配光制御のため、例えば光源、ミラー、及びレンズが用いられる場合がある。
【０００３】
また、視覚効果を高めるために、光の出射面を観測する観測者の出射面における２つの地点から出射された光に対する両目の視差を利用した立体表示が可能となるよう、光学部材を形成する技術が知られている。
【先行技術文献】
【特許文献】
【０００４】
【特許文献１】特開２０１５−８７７６９号公報
【発明の概要】
【発明が解決しようとする課題】
【０００５】
しかしながら、上記した従来技術では、観測者の両目の視差を利用するため、例えば、観測者の位置によっては立体表示されない場合があり、また、例えば、観測者が出射面を片目で観測した場合は立体表示されない。すなわち、従来の面状照明装置は、視覚効果を高める点について改良の余地がある。
【０００６】
本発明は、上記に鑑みてなされたものであって、視覚効果を高めることができる面状照明装置を提供することを目的とする。
【課題を解決するための手段】
【０００７】
上述した課題を解決し、目的を達成するために、本発明の一態様に係る面状照明装置は、平板状に形成された基部を有する光学部材と、前記光学部材の前記基部の側面に沿って配置される光源部とを備え、前記光源部から入光された光の前記基部における輝度分布において、明部と暗部の境界が前記側面と直交する線に対して傾斜する。
【発明の効果】
【０００８】
本発明の一態様によれば、視覚効果を高めることができる。
【図面の簡単な説明】
【０００９】
【図１】図１は、実施形態に係る面状照明装置を示す正面図である。
【図２】図２は、実施形態に係る面状照明装置を示す側面図である。
【図３】図３は、実施形態に係るプリズム部を示す側断面図である。
【図４】図４は、実施形態に係る低反射部及び輝度抑制部を有する光学部材を示す側断面図である。
【図５】図５は、実施形態に係る面状照明装置の照明態様を示す図である。
【図６】図６は、実施形態に係る光取出面における輝度分布を示す図である。
【図７】図７は、変形例１に係る面状照明装置を示す正面図である。
【図８】図８は、変形例１に係る面状照明装置を示す側面図である。
【図９】図９は、変形例１に係る面状照明装置の他の例を示す正面図である。
【図１０】図１０は、変形例１に係る光取出面における輝度分布を示す図である。
【図１１】図１１は、変形例２に係る面状照明装置を示す正面図である。
【図１２】図１２は、変形例２に係る光取出面における輝度分布を示す図である。
【図１３】図１３は、変形例３−１に係る面状照明装置を示す正面図である。
【図１４】図１４は、変形例３−１に係る光取出面における輝度分布を示す図である。
【図１５】図１５は、変形例３−２に係る面状照明装置を示す正面図である。
【図１６】図１６は、変形例３−２に係る光取出面における輝度分布を示す図である。
【図１７】図１７は、変形例３−３に係る面状照明装置を示す正面図である。
【図１８】図１８は、変形例３−３に係る光取出面における輝度分布を示す図である。
【発明を実施するための形態】
【００１０】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１１】
（実施形態）
まず、図１及び図２を用いて、面状照明装置１の構成の概要を説明する。図１は、実施形態に係る面状照明装置を示す正面図である。なお、図１中、面状照明装置１の左方に、基部の側面に焦点を合わせた状態で光源部から放射される光の輝度分布を波形で模式的に示す。図２は、実施形態に係る面状照明装置を示す側面図である。
【００１２】
図１に示すように、面状照明装置１は、光学部材２と、光源部３とを備える。
【００１３】
光学部材２は、平板状に形成された透明体である基部２０を有する。例えば、基部２０は光透過性を有する材料により形成される。例えば、基部２０は、アクリル樹脂やポリカーボネート等により形成されてもよい。また、例えば、基部２０は、いわゆる導光板であってもよい。なお、基部２０は、所望の強度や耐熱性等を有すればどのような材料により形成されてもよい。また、光学部材２において、図１に示す一面２１（以下、「光取出面２１」ともいう）が発光面となる。
【００１４】
また、図２に示すように、光学部材２の基部２０には、基部２０の厚み方向の一方側にプリズム部２２が形成される。例えば、光学部材２の光取出面２１の裏側の面（以下、「裏面」ともいう）には、プリズム部２２が形成される。プリズム部２２は、所定の方向に並んで形成される。例えば、プリズム部２２は、基部２０の長手方向（図２中の左右方向）に並んで形成される。
【００１５】
ここで、図３を用いてプリズム部２２について説明する。図３は、実施形態に係るプリズム部を示す側断面図である。プリズム部２２は、所定のプリズム機能を有する形状に形成される。また、プリズム部２２は、基部２０の長手方向に沿う断面において基部２０の厚み方向が直交する面に対する所定の傾斜角度θ１の第１領域２２１に、プリズム形状を有する第２領域２２２が連続する。なお、以下では、一のプリズム部２２の第１領域２２１の始点となる部分の高さ、すなわち他のプリズム部２２の第２領域２２２に、一のプリズム部２２の第１領域２２１が連続する位置の高さを「第１の高さ」とする。また、一のプリズム部２２の第１領域２２１と第２領域２２２とが連続する位置の高さを「第２の高さ」とする。
【００１６】
なお、プリズム部２２は、基部２０の幅方向（以下、「短手方向」ともいう）に沿って形成されてもよいし、基部２０の短手方向に対して傾斜して形成されてもよい。例えば、プリズム部２２の第１領域２２１は、基部２０の短手方向に沿って形成されてもよい。また、例えば、プリズム部２２の第２領域２２２は、基部２０の短手方向に沿って形成されてもよい。また、図３に示す例では、光取出面２１が平面であり、基部２０の厚み方向が直交する面であるため、以下、基部２０の厚み方向が直交する面を光取出面２１として説明する。
【００１７】
例えば、プリズム部２２においては、図３に示すように、基部２０の長手方向に沿う断面において光取出面２１に対する傾斜角度θ１が例えば０度（°）以上８度以内である第１領域２２１に、プリズム形状を有する第２領域２２２が連続する。また、図３に示すように、一のプリズム部２２の第２領域２２２は、他のプリズム部２２の第１領域２２１に連続する。
【００１８】
図３に示すように、基部２０の長手方向に沿う断面において、一のプリズム部２２の第１領域２２１は、基部２０の厚み方向における第１の高さから第１の高さより高い第２の高さまで延びる形状を有する。また、一のプリズム部２２の第２領域２２２は、第２の高さにおいて一端部が第１領域２２１に連続し、第１の高さまで延びる形状を有し、第１の高さにおいて他端部が他のプリズム部２２の第１領域２２１に連続する。例えば、図３中の左端のプリズム部２２の第２領域２２２は、その隣（右側）のプリズム部２２の第１領域２２１に連続する。なお、基部２０の長手方向に沿う断面における第２領域２２２の光取出面２１に対する傾斜角度は、所望の配光に応じて適宜設定されてもよい。
【００１９】
また、プリズム部２２においては、基部２０の長手方向の長さにおける第１領域２２１の割合Ｒ１１が例えば６０％以上１００％未満である。図３に示すように、基部２０の長手方向の長さにおける第１領域２２１の長さＬ１１は、基部２０の長手方向の長さにおけるプリズム部２２全体の長さＬ１０（以下、「構成単位長Ｌ１０」ともいう）に対する割合Ｒ１１が例えば６０％以上１００％未満である。例えば、上述した割合Ｒ１１は、以下の数式（１）により算出される。
【００２０】
割合Ｒ１１  ＝  第１領域２２１の長さＬ１１／構成単位長Ｌ１０  ・・・  （１）
【００２１】
例えば、構成単位長Ｌ１０は、基部２０の長手方向の長さにおける第１領域２２１と第２領域２２２との合計の長さに対応する。
【００２２】
また、プリズム部２２は、プリズム部２２の構成単位長Ｌ１０が例えば４０μｍ以上５００μｍ以下になるように形成される。上述した構成により、光学部材２は、プリズム部２２が形成された基部２０において透明である。例えば、光学部材２は、透明であり、光源部３が非点灯状態においては、基部２０の光取出面２１側から裏面側を透視することができ、基部２０の裏面側から光取出面２１側を透視することができる。
【００２３】
また、図２に示すように、例えば、光学部材２の光取出面２１の裏面において、プリズム加工が施されるプリズム領域（例えばプリズム部２２）が形成される。例えば、プリズム領域は、基部２０の長手方向にプリズム構造が並んで形成される。また、基部２０の長手方向の両端部には、プリズム加工が施されない非プリズム領域（以下、「非プリズム部２３」ともいう）が形成される。なお、非プリズム領域の長さは、面状照明装置１の用途等に応じて適宜設定されてもよい。
【００２４】
また、プリズム領域（プリズム部２２）や非プリズム領域（非プリズム部２３）を形成するために、例えば、光学部材２において、プリズム加工を施す加工方法としての後加工により、基部２０の裏面における所定の領域にプリズム加工が施されたプリズム領域が形成されてもよい。また、例えば、光学部材２において、基部２０の裏面の全域に亘ってプリズム加工が施された後、後加工により非プリズム領域に対応する領域のプリズム加工を除去することにより非プリズム領域が形成されてもよい。また、例えば、光学部材２において、基部２０の裏面に非プリズム領域に対向する領域が、プリズム加工が施される領域の高さよりも低く形成された後、後加工によりプリズム領域を形成することにより、プリズム領域が形成されてもよい。このような加工方法でプリズム領域や非プリズム領域を形成することにより、光学部材２には、基部２０の裏面における所定の領域にプリズム加工が施されたプリズム領域が形成され、他の領域に非プリズム領域が形成される。
【００２５】
なお、プリズム領域や非プリズム領域を形成するための加工方法については、上記した例に限らず、所望の領域にプリズム領域や非プリズム領域が形成可能であれば、どのような加工方法であってもよい。また、例えば、光学部材２は、所定の金型を用いた上記加工方法により成型されてもよい。
【００２６】
なお、複数のプリズム部２２は、光学部材２の光取出面２１の裏面における長手方向の中央部を通る中心線に対して対称に形成されてもよい。図２中の左側の側面２４側から長手方向の中央部まで、第１領域２２１と第２領域２２２との順に並ぶプリズム部２２が複数並ぶ。また、例えば、光学部材２の光取出面２１の裏面において、図２中の右側の側面２５側から長手方向の中央部まで、第１領域２２１と第２領域２２２との順に並ぶプリズム部２２が複数並ぶ。このように、複数のプリズム部２２は、光学部材２の光取出面２１の裏面における長手方向の中心線に対して鏡像対称に形成されてもよい。
【００２７】
また、面状照明装置１の光学部材２は、所望の配光制御を行うために種々の構成を有してもよい。この点について、図４を用いて説明する。図４は、実施形態に係る低反射部及び輝度抑制部を有する光学部材を示す側面図である。図４に示すように、光学部材２は、低反射部２６や輝度抑制部２７を有してもよい。
【００２８】
図４に示すように、光学部材２における基部２０の光取出面２１側には、基部２０内への反射を抑制する低反射部２６が設けられる。例えば、光学部材２には、光取出面２１に重ねて低反射機能を有する低反射部２６が形成される。例えば、低反射部２６は、スパッタや蒸着により形成した誘電体多層膜やモスアイ形状のような１μｍ以下の微細な凹凸形状を有してもよい。また、例えば、低反射部２６は、光取出面２１に低反射処理が施されることにより形成されてもよい。例えば、低反射処理は、光取出面２１を鏡面状態に処理することが好ましい。例えば、上述の処理方法は、導光板としての基部２０への直接処理（スパッタ、蒸着、賦形など）や、低反射フィルムのインサート成型や、粘着剤や接着剤を介した低反射フィルムの貼り合せ等、どのような処理方法であってもよい。
【００２９】
なお、光取出面２１の正反射率は、例えば１．６％以下である。例えば、光取出面２１の正反射率が１．６％以下とは、図４に示す例では、光取出面２１に向かう光線ＩＬ１２のうち、基部２０内に反射される光線ＩＬ１４の割合が１．６％（＝ＩＬ１４の光量／ＩＬ１２の光量＊１００）以下である場合をいう。また、例えば、光学部材２の光取出面２１に重ねて低反射部２６を形成することにより、光取出面２１の正反射率は１．６％以下としてもよい。
【００３０】
なお、上述した低反射部２６の形成は一例であり、光取出面２１の正反射率が所望の値を満たせば、光学部材２はどのような構成であってもよい。例えば、光取出面２１の正反射率が所望の値を満たせば、光学部材２は低反射部２６を有さなくてもよい。
【００３１】
図４に示すように、光学部材２における基部２０の裏面側には、裏面側への光の放射を抑制する輝度抑制部２７が設けられる。例えば、光学部材２には、裏面を覆うように裏面側への光の放射を抑制する輝度抑制部２７が形成される。例えば、輝度抑制部２７は、ルーバフィルムや光源の光の波長を反射するフィルム（誘電体多層膜）もしくは吸収するフィルム（誘電体多層膜）や染料系色素を含有する透明フィルム等であってもよい。例えば、斜め方向に出射する光を遮光するには、ルーバフィルムが用いられることが好適である。なお、輝度抑制部２７は、所望の機能を有すればどのような構成であってもよい。
【００３２】
光取出面２１の輝度の裏面の輝度に対する比率である輝度比ＬＲ１は例えば２０以上である。例えば、輝度比ＬＲ１は以下の数式（２）により算出される。
【００３３】
輝度比ＬＲ１＝光取出面２１の輝度／裏面の輝度  ・・・  （２）
【００３４】
例えば、基部２０の裏面側に輝度抑制部２７が配置されることにより、輝度比ＬＲ１が２０以上としてもよい。例えば、光取出面２１の輝度とは、光取出面２１の垂直方向の輝度であり、光取出面２１の裏面（プリズム部２２が形成される面）の基部２０の厚み方向の輝度であってもよい。例えば、輝度比ＬＲ１は、光取出面２１側の正面輝度の裏面側の正面輝度に対する比率であってもよい。
【００３５】
なお、上述した輝度抑制部２７の配置は一例であり、輝度比ＬＲ１が所望の値を満たせば、光学部材２はどのような構成であってもよい。例えば、輝度比ＬＲ１が所望の値を満たせば、光学部材２は輝度抑制部２７を有さなくてもよい。
【００３６】
ここで、図４に示す光線ＩＬ１１〜ＩＬ１５を用いて光学部材２における配光について説明する。なお、図４に示す光線ＩＬ１１〜ＩＬ１５は、光学部材２における配光を仮想的に示す。例えば、基部２０内から第２領域２２２に向かう光線ＩＬ１１のうち、一部の光線ＩＬ１２はプリズム機能を有する第２領域２２２により光取出面２１の方向へ反射される。
【００３７】
そして、基部２０内から光取出面２１へ向かう光線ＩＬ１２のうち、一部の光線ＩＬ１３は光取出面２１外へ放射される。例えば、低反射部２６により反射が抑制されること等により光取出面２１の正反射率が所望の値を満たすため、光線ＩＬ１２のうち、大部分の光線ＩＬ１３は光取出面２１外へ放射される。このように、面状照明装置１は、光取出面２１の正反射率が所望の値を満たすことにより、光取出面２１側から基部２０内へ反射される光量の増大を抑制することができ、光取出し効率を向上させることができる。
【００３８】
また、基部２０内から光取出面２１へ向かう光線ＩＬ１２のうち、一部の光線ＩＬ１４は光取出面２１により反射される。例えば、低反射部２６により反射が抑制されるため、光線ＩＬ１２のうち、僅かな光線ＩＬ１４は光取出面２１により反射される。このように、光学部材２は、発光面（光取出面２１）での反射が抑制され、裏面から漏れる光を軽減することが可能となる。
【００３９】
また、例えば、基部２０内から第２領域２２２に向かう光線ＩＬ１１のうち、一部の光線ＩＬ１５は第２領域２２２を通過して基部２０外へ放射される。すなわち、光線ＩＬ１５は仮想的に平面とした場合の裏面から斜め方向に漏れる光となる。このような、裏面から漏れる光は、裏面側にいる人、例えば面状照明装置１がハイマウントライトとして用いられた自動車中や車外の人に視認される場合がある。しかし、面状照明装置１においては、輝度抑制部２７等により輝度比ＬＲ１が所望の値を満たすため、裏面側へ漏れる光が抑制され、裏面側にいる人に与える影響を抑制することができる。
【００４０】
図１に示すように、光源部３は、保持部材３０と、例えばＬＥＤ（Light  Emitting  Diode）等である光源３１とを有する。光源部３は、光学部材２の基部２０の一対の側面２４、２５に沿って配置される。光源部３は、光学部材２の両端部に一対設けられる。なお、光源部３は、光学部材２の両端部のうち、一方のみに設けられてもよい。
【００４１】
例えば、一対の保持部材３０は、両側から光学部材２を保持する。図１では、光源部３は、基部２０の長手方向における光学部材２の両端部に一対設けられ、光学部材２を保持する。また、各保持部材３０は、光学部材２の両端部において光源３１を各々保持する。なお、図１では、光源３１が正面視において露出した状態を図示するが、光源３１は、光学部材２に対して所定の位置に配置されれば、例えば、保持部材３０により覆われてもよい。また、光学部材２は、側面２４、２５付近を保持部材３０に覆われることにより、保持部材３０に保持されてもよい。
【００４２】
各光源部３は、基部２０の側面２４，２５に近接して設けられてもよいし、基部２０の側面２４，２５から離間して設けられてもよい。また、各光源部３には、複数（図１では各４個）の光源３１が設けられる。複数の光源３１は、基部２０の側面２４、２５に沿って配置される。複数の光源３１は、離散的に配置され、例えば等間隔をあけて並べて配置される。これにより、複数の光源３１をそれぞれ点状光源として用いることができる。
【００４３】
複数の光源３１から放射される光は、図１に示すように、基部２０の側面２４、２５において明部と暗部を有する不均一な輝度分布となる（図１では、左側の側面２４における輝度分布のみを示す）。これにより、基部２０の光取出面２１から明部と暗部を有する不均一な輝度分布の光を放射することができる。また、図１では、基部２０の側面２４における輝度分布を示す波形において、山側（図中、右側）が輝度の明部であり、谷側（図中、左側）が輝度の暗部である。例えば、複数の光源３１から放射される光の輝度分布は、各光源３１の中心に近いほど輝度が高く、光源３１と光源３１とが離れるほど輝度が低い。
【００４４】
ここでいう、輝度が不均一とは、例えば、基部２０の入光端面（側面２４、２５）に焦点を合わせた状態で測定した場合に輝度の明部と暗部の輝度比（暗部輝度／明部輝度）が、例えば、少なくとも８０％以下、好ましくは５０％以下である。これにより、面状照明装置１は、光学部材２の側面２４，２５に対して明部と暗部を有する不均一な輝度分布の光が入光されるため、基部２０の光取出面２１から明部と暗部を有する不均一な輝度分布の光を放射することができる。なお、図１及び図２に示す例では、光学部材２の側面２４，２５に対して明部と暗部が交互に並んだ輝度分布の光が入光され、光取出面２１から放射される光は、基部２０の長手方向に沿って明部と暗部が交互に並んだ輝度分布となる。
【００４５】
なお、複数の光源３１の厚みは、基部２０の厚みと同程度であってもよい。また、基部２０の幅Ｗ１０は、複数の光源３１の並び方向における全体の幅Ｗ１１よりも広くてもよいし、複数の光源３１の並び方向における全体の幅Ｗ１１と同等、又は複数の光源３１の並び方向における全体の幅Ｗ１１よりも狭くてもよい。
【００４６】
また、例えば、発光エリア（光取出面２１）の正面輝度、すなわち光取出面２１の垂直方向の輝度において、輝度分布は導光板（基部２０）の入光端面（側面２４、２５）に焦点を合わせた状態で、導光板の幅方向（短手方向）に少なくとも１ｍｍピッチ、好ましくは０．５ｍｍピッチで輝度分布（厚さ方向には平均化）を算出する。
【００４７】
ここで、図５を用いて面状照明装置１の点灯状態における照明態様について説明する。図５は、実施形態に係る面状照明装置の照明態様を示す図である。なお、図５には、面状照明装置１を正面における斜め上方から見た場合を示す。また、図５には、面状照明装置１の点灯状態の実測結果を示す。また、図５に示す照明態様は一例であり、面状照明装置１の照明態様はこれに限定されない。
【００４８】
面状照明装置１の非点灯状態では、例えば、光学部材２の基部２０に亘って透明である。図５に示すように、面状照明装置１の点灯状態では、光取出面２１、すなわちプリズム加工が施されたプリズム領域（プリズム部２２）において発光し、光取出面２１の外側（図５では、光取出面２１の左右外側）のプリズム加工が施されていない非プリズム領域（非プリズム部２３）は発光しない。図５に示すように、点灯状態における面状照明装置１の照明態様は、プリズム領域、すなわち光取出面２１が発光するとともに、発光した光取出面２１の両側縁からそれぞれ基部２０の長手方向の中心に向かい延びる複数の光線が視認される。複数の光線は、光取出面２１の各側縁に沿って並んで視認される。複数の光線は、基部２０の側面２４、２５と直交する線に対して同様に傾斜して視認される。なお、基部２０の側面２４、２５と直交する線は、図１の例では、基部２０の長手方向の線に対応する。
【００４９】
基部２０の側面２４、２５に沿って設けられた各光源部３と発光面（光取出面２１）を見る人の視点との間で、光源部３と視点とをプリズム部２２を介して結ぶ位置に光線を知覚させることができる。これにより、光取出面２１を見る人の視点の位置に応じて明暗の境界は傾き、発光した光取出面２１を見た人に対して、発光面の中に、傾斜した複数の光線を知覚させることができ、傾斜した複数の光線によって、発光面に手前から奥へ延びるような奥行き感を知覚させることができ、視覚効果を高めることができる。
【００５０】
なお、複数の光線の傾斜角度は、発光面を見る人の視点の位置に応じて様々に変化する。また、図５に示す例では、光取出面２１の両側縁から延びる光線が基部２０の長手方向の中心付近で交わるが、光線の交点は発光面を見る人の視点の位置に応じて、基部２０の長手方向に沿う向きに移動する。また、複数の光線は、光取出面２１における他の部位と比較して輝度が高い部位であり、図５に示す例では光線が視認されるが、直線でなくてもよく、光線が曲線であってもよい。また、光線を様々な態様で視認させるために、光学部材２を加工してもよいし、光源部３から放射される光を調整してもよい。
【００５１】
次に、図６を用いて光取出面２１における輝度分布について説明する。図６は、実施形態に係る光取出面における輝度分布を示す図である。なお、図６には、面状照明装置１を正面における斜め上方から見た場合を示す。また、図６には、面状照明装置１の点灯状態のシミュレーション結果を示す。また、図６に示す輝度分布４は一例であり、輝度分布４の態様はこれに限定されない。
【００５２】
図６に示すように、発光エリアである光取出面２１の垂直方向の輝度分布４は、輝度の明部４０と暗部４１とを有する。このように、光取出面２１における輝度分布４は、明部４０と暗部４１とを有するため、輝度が均一ではない。すなわち、光取出面２１における輝度分布４は、輝度が不均一である。図６に示すように、光取出面２１における輝度分布４では、一面の暗部４１の中に、複数の明部４０が光取出面２１の両側縁からそれぞれ基部２０の長手方向の中心に向かい延びる。光取出面２１における輝度分布４では、明部４０と暗部４１とが基部２０の側面２４、２５と直交する向きに交互に並ぶ。明部４０と暗部４１の境界は、基部２０の側面２４、２５と直交する線に対してそれぞれ同様に傾斜する。なお、基部２０の側面２４、２５と直交する線は、図１の例では、基部２０の長手方向の線に対応する。
【００５３】
このように、明部４０と暗部４１の境界が傾くことで、光取出面２１において手前から奥へ延びるような絵画的な奥行き感（遠近感）を醸し出すことができる。これにより、発光した発光面（光取出面２１）を見た人に対して、傾斜した明部４０と暗部４１の境界を知覚させることができ、傾斜した明部４０と暗部４１の境界によって発光面に手前から奥へ延びるような奥行き感を知覚させることができる。これにより、例えば両眼視差を利用しない構成で視覚効果を高めることができる。
【００５４】
なお、輝度分布４における明部４０と暗部４１の境界の傾斜角度は、発光面を見る人の視点の位置に応じて様々に変化する。また、図６に示す例では、光取出面２１の両側縁から延びる明部４０と暗部４１の境界が基部２０の長手方向の中心付近で交わるが、かかる境界の交点は発光面を見る人の視点の位置に応じて、基部２０の長手方向に沿う向きに移動する。
【００５５】
実施形態の変形例に係る面状照明装置を図面に基づいて説明する。なお、上記した実施形態と同様の構成については、実施形態と同様の符号を付し、説明を省略する場合がある。
【００５６】
（変形例１）
まず、図７、図８、図９及び図１０を用いて変形例１に係る面状照明装置１Ａについて説明する。図７は、変形例１に係る面状照明装置を示す正面図である。図８は、変形例１に係る面状照明装置を示す側面図である。図９は、変形例１に係る面状照明装置の他の例を示す正面図である。図１０は、変形例１に係る光取出面における輝度分布を示す図である。なお、図１０には、面状照明装置１Ａを正面における斜め上方から見た場合を示す。また、図１０には、面状照明装置１Ａの点灯状態のシミュレーション結果を示す。また、図１０に示す輝度分布４Ａは一例であり、輝度分布４Ａの態様はこれに限定されない。
【００５７】
図７に示すように、面状照明装置１Ａは、光学部材２Ａと、光源部３Ａとを備える。光学部材２Ａは、平板状に形成された透明体である基部２０Ａを有する。光学部材２Ａにおいても、図７に示す一面２１Ａ（以下、「光取出面２１Ａ」ともいう）が発光面となる。なお、光学部材２Ａは、後述する吸収面５０Ａ又は散乱面５１Ａを備える点において上記した実施形態の光学部材２と相違する。その他の点については、上記した実施形態の光学部材２と同様である。
【００５８】
基部２０Ａの側面２４Ａ、２５Ｂと直交する面には、基部２０Ａに入光された光を吸収する吸収面５０Ａ、又は基部２０Ａに入光された光を散乱させる散乱面５１Ａが形成される。すなわち、基部２０Ａの側面２４Ａ、２５Ａと直交する面は、吸収面５０Ａ又は散乱面５１Ａである。なお、吸収面５０Ａである場合、例えば、基部２０Ａの側面２４Ａ、２５Ａと直交する面に黒い塗装を施して吸収面５０Ａが形成されてもよいし、基部２０Ａの側面２４Ａ、２５Ａと直交する面に黒いフォルムを貼付して吸収面５０Ａとしてもよい。また、散乱面５１Ａである場合、例えば、基部２０の側面２４Ａ、２５Ａと直交する面に微小な凹凸を形成して散乱面５１Ａとしてもよい。
【００５９】
また、例えば、基部２０Ａの側面２４Ａ、２５Ａと直交する面のいずれか一方を吸収面５０Ａ、他方を散乱面５１Ａとしてもよい。また、例えば、基部２０Ａの側面２４Ａ、２５Ａと直交する面のいずれか一方のみを吸収面５０Ａ又は散乱面５１Ａとしてもよい。なお、吸収面５０Ａや散乱面５１Ａは、所望の吸収率を有すればどのような構成であってもよい。
【００６０】
図７に示すように、光源部３Ａは、保持部材３０Ａと、光源３１と、入光素子３２とを有する。なお、変形例１における光源部３Ａは、上記した実施形態の光源部３とは異なり、基部２０Ａの側面２４Ａ（及び側面２５Ａ）において均一な輝度分布となるように光を放射する。変形例１において、光源部３Ａは、光学部材２Ａの基部２０Ａの一対の側面２４Ａ、２５Ａに沿って配置される。光源部３Ａは、光学部材２Ａの両端部に一対設けられる。なお、光源部３Ａは、光学部材２Ａの両端部のうち、一方のみに設けられてもよい。
【００６１】
例えば、一対の保持部材３０Ａは、両側から光学部材２Ａを保持する。図７では、光源部３Ａは、基部２０Ａの長手方向における光学部材２Ａの両端部に一対設けられ、光学部材２Ａを保持する。また、各保持部材３０Ａは、光学部材２Ａの両端部において光源３１を各々保持する。なお、図７では、光源３１が正面視において露出した状態を図示するが、光源３１は、光学部材２Ａに対して所定の位置に配置されれば、例えば、保持部材３０Ａにより覆われてもよい。また、光学部材２Ａは、側面２４Ａ、２５Ａ付近を保持部材３０Ａに覆われることにより、保持部材３０Ａに保持されてもよい。
【００６２】
各光源部３Ａには、入光素子３２の長手方向（図７では、上下方向）から入光素子３２を挟む位置に光源３１が各々設けられる。例えば、２つの光源３１は、入光素子３２の側端部から入光素子３２内に光を入光するように配置される。なお、光源３１は、所望の配光制御がなされていれば、１つだけ用いられてもよく、光源３１は、入光素子３２の側端部の一方から入光素子３２内に光を入光するように配置されてもよい。
【００６３】
例えば、入光素子３２は、点状光源である光源３１から放射される光を線状光源の光に変換する機能を有する。例えば、入光素子３２は、光透過性を有する材料により形成される。また、入光素子３２は、いわゆるライトバーであってもよい。入光素子３２は、長手方向に交差する一面を光学部材２Ａへ向けて設けられる。入光素子３２は、基部２０Ａの側面２４Ａ、２５Ａに一面を対向させて設けられる。例えば、図７中の左側の光源部３Ａにおいて、入光素子３２は、基部２０Ａの側面２４Ａに沿って設けられる。また、図７中の左側の光源部３Ａにおいて、入光素子３２は、基部２０Ａの側面２４Ａに一面を対向させて設けられる。例えば、図７中の右側の光源部３Ａにおいて、入光素子３２は、基部２０Ａの側面２５Ａに沿って設けられる。また、図７中の右側の光源部３Ａにおいて、入光素子３２は、基部２０Ａの側面２５Ａに一面を対向させて設けられる。
【００６４】
また、入光素子３２における側面２４Ａ、２５Ａに対向する面の反対面３２１（以下、「反射面３２１」ともいう）には、所定の光学的制御を行う機構が設けられる。例えば、入光素子３２の反射面３２１は、入光素子３２の側端部から入光した光を光学部材２Ａの方向へ配光制御する機能を有する。例えば、入光素子３２における反射面３２１は、粗面化加工を施し微小な凹凸が形成され、光散乱機能を有する部分と、粗面化加工を施さない部分とを含んでもよい。また、例えば、入光素子３２における反射面３２１には、プリズムが配置されてもよい。なお、入光素子３２における反射面３２１は、入光素子３２の側端部から入光した光を光学部材２Ａの方向へ配光可能であれば、どのような構成であってもよい。なお、入光素子３２の幅は、基部２０Ａの短手方向の幅以上であることが望ましい。これにより、面状照明装置１Ａは、光学部材２Ａの側面２４Ａ、２５Ａの短手方向の全体に亘って入光素子３２からの光が照射されるため、より均一に基部２０Ａの光取出面２１Ａから光を放射することができる。
【００６５】
また、図９に示すように、入光素子３２において基部２０Ａの側面２４Ａ、２５Ａと対向する面、すなわち入光素子３２の反射面３２１の反対面３２２には、所定の配光部材が設けられてもよい。例えば、入光素子３２において基部２０Ａの側面２４Ａ、２５Ａと対向する面には、配光部材としてレンチキュラレンズや拡散素子やプリズムやＴＩＲ−フレネルレンズが設けられてもよい。なお、入光素子３２は、基部２０Ａの側面２４Ａ、２５Ａに連続してもよい。例えば、入光素子３２は、基部２０Ａと一体形成されてもよい。
【００６６】
また、入光素子３２において輝度が均一となる領域の幅Ｗ１２は、基部２０Ａの短手方向の幅Ｗ１０以上であることが望ましい。ここでいう、輝度が均一とは、例えば、輝度の明部と暗部の輝度比（暗部輝度/明部輝度）が７０％以上、好ましくは８０％以上である。これにより、面状照明装置１Ａは、光学部材２Ａの側面２４Ａ、２５Ａの短手方向の全体に亘って入光素子３２からの光が照射される。なお、入光素子３２の厚みは、基部２０Ａの厚みと同程度であってもよい。なお、図７に示す例では、説明を簡単にするために、入光素子３２において輝度が均一となる領域の幅Ｗ１２が入光素子３２の幅と同じである場合を図示するが、入光素子３２において輝度が均一となる領域の幅Ｗ１２は、入光素子３２の幅よりも狭くてもよい。
【００６７】
例えば、発光エリア（光取出面２１Ａ）の正面輝度、すなわち光取出面２１Ａの垂直方向の輝度において、輝度分布は導光板（基部２０Ａ）の入光端面（側面２４Ａ、２５Ａ）に焦点を合わせた状態で、導光板の幅方向（短手方向）に少なくとも１ｍｍピッチ、好ましくは０．５ｍｍピッチで輝度分布（厚さ方向には平均化）を算出する。また、例えば、入光素子３２において輝度が均一となる領域の幅Ｗ１２を基部２０Ａの短手方向の幅Ｗ１０以上に設定することにより、上述した算出方法により得られた輝度の明部と暗部の輝度比（暗部輝度/明部輝度）が７０％以上、好ましくは８０％以上とすることが可能となる。
【００６８】
また、基部２０Ａの側面２４Ａ、２５Ｂと直交する面は、吸収面５０Ａ又は散乱面５１Ａである。これにより、面状照明装置１Ａは、基部２０Ａの光取出面２１Ａから明部と暗部とを有する不均一な輝度分布の光を放射することができる。なお、図７及び図８に示す例では、光学部材２Ａの側面２４Ａ、２５Ａに対して、点状光源のみの場合に比べてより均一な輝度分布の光が入光され、光が吸収面５０Ａによって吸収されるか、又は光が散乱面５１Ａによって散乱する。これにより、光取出面２１Ａから放射される光を、基部２０Ａの長手方向に沿って輝度の明部と暗部が並んだ輝度分布とすることができる。
【００６９】
基部２０Ａの側面２４Ａ、２５Ｂと直交する面が吸収面５０Ａである場合、吸収面５０Ａにおける光の吸収率は、少なくとも０．０５以上であり、好ましくは０．１以上であり、さらに好ましくは０．３以上である。これにより、面状照明装置１Ａは、光学部材２Ａの側面２４Ａ、２５Ａに対してより均一な輝度分布の光が入光されても、基部２０Ａの光取出面２１Ａから明部と暗部を有する不均一な所望の輝度分布の光を放射することができる。
【００７０】
図１０に示すように、基部２０Ａにおける発光エリアである光取出面２１Ａの垂直方向の輝度分布４Ａは、輝度の明部４０Ａと暗部４１Ａとを有する。基部２０Ａの側面２４Ａ、２５Ａにおいて光を吸収又は散乱することにより、光の反射成分が減少して暗部４１Ａが発生する。このように、光取出面２１Ａにおける輝度分布４Ａは、例えば光取出面２１Ａを斜め方向から見た場合などに暗部が視認され、輝度が不均一に見える。図１０に示すように、光取出面２１Ａにおける輝度分布４Ａでは、吸収面５０Ａ又は散乱面５１Ａ（図７及び図９参照）の近くに暗部４１Ａを有する。暗部４１Ａは、光源部３Ａから基部２０Ａの長手方向に遠いほど側面２４Ａ、２５Ａの短手方向の中心に向かい延びる。すなわち、光取出面２１Ａにおける輝度分布４Ａでは、輝度の明部４０Ａと暗部４１Ａとが基部２０Ａの側面２４Ａ、２５Ａと直交する向きに並ぶ。明部４０Ａと暗部４１Ａの境界は、基部２０Ａの側面２４Ａ、２５Ａと直交する線に対して傾斜する。なお、基部２０Ａの側面２４Ａ、２５Ａと直交する線は、図７及び図９の例では、基部２０Ａの長手方向の線に対応する。
【００７１】
このように、明部４０Ａと暗部４１Ａの境界が傾くことで、光取出面２１Ａにおいて手前から奥へ延びるような絵画的な奥行き感（遠近感）を醸し出すことができる。これにより、発光した発光面（光取出面２１Ａ）を見た人に対して、傾斜した明部４０Ａと暗部４１Ａの境界を知覚させることができ、傾斜した明部４０Ａと暗部４１Ａの境界によって発光面に手前から奥へ延びるような奥行き感を知覚させることができる。これにより、例えば両眼視差を利用しない構成で視覚効果を高めることができる。
【００７２】
なお、輝度分布４Ａにおける明部４０Ａと暗部４１Ａの境界の傾斜角度は、発光面を見る人の視点の位置に応じて様々に変化する。図１０に示す例では、光取出面２１Ａの両側縁から延びる明部４０Ａと暗部４１Ａの境界が基部２０Ａの長手方向の中心付近で交わるが、かかる境界の交点は発光面を見る人の視点の位置に応じて、基部２０Ａの長手方向に沿う向きに移動する。
【００７３】
（変形例２）
次に、図１１及び図１２を用いて変形例２に係る面状照明装置１Ｂについて説明する。図１１は、変形例２に係る面状照明装置を示す正面図である。図１２は、変形例２に係る光取出面における輝度分布を示す図である。なお、図１２には、面状照明装置１Ｂを正面における斜め上方から見た場合を示す。また、図１２には、面状照明装置１Ｂの点灯状態のシミュレーション結果を示す。また、図１２に示す輝度分布４Ｂは一例であり、輝度分布４Ｂの態様はこれに限定されない。面状照明装置１Ｂは、保持部材３０Ｂが吸収面５０Ｂ又は散乱面５１Ｂを備える点で面状照明装置１Ａと相違する。その他の点については、変形例１の面状照明装置１Ａと同様であるので、面状照明装置１Ａの「＊＊Ａ」を「＊＊Ｂ」と読み替えるものとする。
【００７４】
図１１に示すように、面状照明装置１Ｂは、光学部材２Ｂと、光源部３Ｂとを備える。光学部材２Ｂは、平板状に形成された透明体である基部２０Ｂを有する。光学部材２Ｂにおいても、図１１に示す一面２１Ｂ（以下、「光取出面２１Ｂ」ともいう）が発光面となる。なお、光学部材２Ｂは、上記した実施形態の光学部材２と同様である。
【００７５】
図１１に示すように、光源部３Ｂは、保持部材３０Ｂと、光源３１と、入光素子３２とを有する。なお、変形例２においても、光源部３Ｂは、上記した実施形態の光源部３とは異なり、基部２０Ｂの側面２４Ｂ（及び側面２５Ｂ）において均一な輝度分布となるように光を放射する。また、変形例２においても、光源部３Ｂは、光学部材２Ｂの基部２０Ｂの一対の側面２４Ｂ、２５Ｂに沿って配置される。光源部３Ｂは、光学部材２Ｂの両端部に一対設けられる。なお、光源部３Ｂは、光学部材２Ｂの両端部のうち、一方のみに設けられてもよい。
【００７６】
光源部３Ｂは、保持部材３０Ｂが後述する吸収面５０Ｂ又は散乱面５１Ｂを備える点において上記した変形例１の光学部材２Ａと相違する。保持部材３０Ｂは、基部２０Ｂの側面２４Ｂ、２５Ｂの端部に、光源部３Ｂの入光素子３２と基部２０Ｂの側面２４Ｂ、２５Ｂとの間において、入光素子３２から放射される光を吸収する吸収面５０Ｂ、又は入光素子３２から放射される光を散乱させる散乱面５１Ｂを備える。これにより、面状照明装置１Ｂは、基部２０Ｂの光取出面２１Ｂから明部と暗部とを有する不均一な輝度分布の光を放射することができる。なお、図１１に示す例では、光学部材２Ｂの側面２４Ｂ、２５Ｂに対して均一な輝度分布の光が入光され、光が吸収面５０Ｂによって吸収されるか又は光が散乱面５１Ｂによって散乱する。これにより、光取出面２１Ｂから放射される光を、基部２０Ｂの長手方向に沿って輝度の明部と暗部が並んだ輝度分布とすることができる。
【００７７】
なお、吸収面５０Ｂを備える場合、例えば、黒い塗装が施された面や黒いフィルムが貼付された面を用いて吸収面５０Ｂを形成してもよい。また、散乱面５１Ｂを備える場合、例えば、微小な凹凸が形成された面を用いて散乱面５１Ｂとしてもよい。また、例えば、保持部材３０Ｂは、両端部に吸収面５０Ｂ又は散乱面５１Ｂを備えてもよいし、いずれか一方の端部のみに吸収面５０Ｂ又は散乱面５１Ｂを備えてもよい。なお、吸収面５０Ｂや散乱面５１Ｂは、所望の吸収率を有すればどのような構成であってもよい。
【００７８】
また、吸収面５０Ｂを備える場合、吸収面５０Ｂにおける光の全反射率は、少なくとも９０％以下であり、好ましくは８０％以下であり、さらに好ましくは５０％以下である。これにより、面状照明装置１Ｂは、光学部材２Ｂの側面２４Ｂ、２５Ｂに対して均一な輝度分布の光が放射されても、基部２０Ｂの光取出面２１Ｂから明部と暗部を有する不均一な所望の輝度分布の光を放射することができる。また、散乱面５１Ｂを備える場合、散乱面５１Ｂにおける光の散乱の広がりをガウス分布で表した場合に、ガウス分布の半値全幅は、少なくとも５度（°）以上であり、好ましくは１５度以上、さらに好ましくは３０度以上である。これにより、面状照明装置１Ｂは、光学部材２Ｂの側面２４Ｂ、２５Ｂに対して均一な輝度分布の光が放射されても、基部２０Ｂの光取出面２１Ｂから明部と暗部を有する不均一な所望の輝度分布の光を放射することができる。
【００７９】
各光源部３Ｂには、入光素子３２の長手方向（図１１では、上下方向）から入光素子３２を挟む位置に光源３１が各々設けられる。例えば、２つの光源３１は、入光素子３２の側端部から入光素子３２内に光を入光するように配置される。なお、光源３１は、所望の配光制御がなされていれば、１つだけ用いられてもよく、光源３１は、入光素子３２の側端部の一方から入光素子３２内に光を入光するように配置されてもよい。例えば、入光素子３２は、点状光源である光源３１から放射される光を線状光源の光に変換する機能を有する。例えば、入光素子３２は、光透過性を有する材料により形成される。また、入光素子３２は、いわゆるライトバーであってもよい。
【００８０】
また、光源部３Ｂと基部２０Ｂの側面２４Ｂ、２５Ｂとの間の距離は、少なくとも０．１ｍｍ以上２０ｍｍ以下であり、好ましくは０．５ｍｍ以上１５ｍｍ以下であり、さらに好ましくは１ｍｍ以上１０ｍｍ以下である。これにより、面状照明装置１Ｂは、光学部材２Ｂの側面２４Ｂ、２５Ｂに対して均一な輝度分布の光が放射されても、基部２０Ｂの光取出面２１Ｂから明部と暗部を有する不均一な所望の輝度分布の光を放射することができる。
【００８１】
図１２に示すように、基部２０Ｂにおける発光エリアである光取出面２１Ｂの垂直方向の輝度分布４Ｂは、輝度の明部４０Ｂと暗部４１Ｂとを有する。基部２０Ｂの側面２４Ｂ、２５Ｂに入光する光を吸収又は散乱することにより、光の反射成分が減少して暗部４１Ｂが発生する。このように、光取出面２１Ｂにおける輝度分布４Ｂは、例えば光取出面２１Ｂを斜め方向から見た場合などに暗部４１Ｂが視認され、輝度が不均一に見える。図１２に示すように、光取出面２１Ｂにおける輝度分布４Ｂでは、一面の明部４０Ｂの中に線状の暗部４１Ｂを有する。暗部４１Ｂは、光源部３Ｂから基部２０Ｂの長手方向に遠いほど側面２４Ｂ、２５Ｂの短手方向の中心に向かい延びる。光取出面２１Ｂにおける輝度分布４Ｂでは、明部４０Ｂと暗部４１Ｂとが基部２０Ｂの側面２４Ｂ、２５Ｂと直交する向きに並ぶ。明部４０Ｂと暗部４１Ｂの境界は、基部２０Ｂの側面２４Ｂ、２５Ｂと直交する線に対して傾斜する。なお、基部２０Ｂの側面２４Ｂ、２５Ｂと直交する線は、図１１の例では、基部２０Ｂの長手方向の線に対応する。
【００８２】
このように、明部４０Ｂと暗部４１Ｂの境界が傾くことで、光取出面２１Ｂにおいて手前から奥へ延びるような絵画的な奥行き感（遠近感）を醸し出すことができる。これにより、発光した発光面（光取出面２１Ｂ）を見た人に対して、傾斜した明部４０Ｂと暗部４１Ｂの境界を知覚させることができ、傾斜した明部４０Ｂと暗部４１Ｂの境界によって発光面に手前から奥へ延びるような奥行き感を知覚させることができる。これにより、例えば両眼視差を利用しない構成で視覚効果を高めることができる。
【００８３】
なお、輝度分布４Ｂにおける明部４０Ｂと暗部４１Ｂの境界の傾斜角度は、発光面を見る人の視点の位置に応じて様々に変化する。図１２に示す例においても、光取出面２１Ｂの両側縁から延びる明部４０Ｂと暗部４１Ｂの境界が基部２０Ｂの長手方向の中心付近で交わるが、かかる境界の交点は発光面を見る人の視点の位置に応じて、基部２０Ｂの長手方向に沿う向きに移動する。
【００８４】
（変形例３−１）
次に、図１３及び図１４を用いて変形例３−１に係る面状照明装置１Ｃについて説明する。図１３は、変形例３−１に係る面状照明装置を示す正面図である。図１４は、変形例３−１に係る光取出面における輝度分布を示す図である。なお、図１４には、面状照明装置１Ｃを正面における斜め上方から見た場合を示す。また、図１４には、面状照明装置１Ｃの点灯状態のシミュレーション結果を示す。また、図１４に示す輝度分布４Ｃは一例であり、輝度分布４Ｃの態様はこれに限定されない。
【００８５】
図１３に示すように、面状照明装置１Ｃは、光学部材２Ｃと、光源部３Ｃとを備える。光学部材２Ｃは、平板状に形成された透明体である基部２０Ｃを有する。光学部材２Ｃにおいても、図１３に示す一面２１Ｃ（以下、「光取出面２１Ｃ」ともいう）が発光面となる。なお、光学部材２Ｃは、上記した実施形態の光学部材２と同様である。
【００８６】
図１３に示すように、光源部３Ｃは、保持部材３０Ｃと、光源３１と、入光素子３２とを有する。変形例３−１においても、光源部３Ｃは、光学部材２Ｃの基部２０Ｃの一対の側面２４Ｃ、２５Ｃに沿って配置される。光源部３Ｃは、光学部材２Ｃの両端部に一対設けられる。なお、光源部３Ｃは、光学部材２Ｃの両端部のうち、一方のみに設けられてもよい。
【００８７】
光源部３Ｃは、光源３１の配置において上記した変形例１及び変形例２の光源部３Ａ、３Ｂと異なり、各光源部３Ｃにそれぞれ１つの光源３１が配置される。変形例３−１では、保持部材３０Ｃの幅方向（すなわち、基部２０Ｃの側面２４Ｃ、２５Ｃと直交する向き）における一方側に光源３１が配置される。光源部３Ｃの入光素子３２からは基部２０Ｃにおける側面２４Ｃ、２５Ｃと直交する向きの一方半部に向けて光が放射される。例えば変形例１や変形例２のように入光素子３２の両端部の光源３１からの光を均一に放射させる配光性を有する入光素子３２の一方のみに光源３１が配置されることで、面状照明装置１Ｃは、基部２０Ｃの光取出面２１Ｃから明部と暗部とを有する不均一な輝度分布の光を放射することができる。なお、図１３に示すにおいても、光取出面２１Ｃから放射される光を、基部２０Ｃの長手方向に沿って輝度の明部と暗部が並んだ輝度分布とすることができる。
【００８８】
図１４に示すように、基部２０Ｃにおける発光エリアである光取出面２１Ｃの垂直方向の輝度分布４Ｃは、輝度の明部４０Ｃと暗部４１Ｃとを有する。光取出面２１Ｃにおける輝度分布４Ｃは、輝度が不均一に見える。図１４に示すように、光取出面２１Ｃにおける輝度分布４Ｃでは、保持部材３０Ｃの光源３１が配置される一方側に暗部４１Ｃを有する。暗部４１Ｃは、光源部３Ｃから基部２０Ｃの長手方向に遠いほど側面２４Ｃ、２５Ｃの短手方向の中心に向かい延びる。光取出面２１Ｃにおける輝度分布４Ｃでは、明部４０Ｃと暗部４１Ｃとが基部２０Ｃの側面２４Ｃ、２５Ｃと直交する向きに並ぶ。明部４０Ｃと暗部４１Ｃの境界は、基部２０Ｃの側面２４Ｃ、２５Ｃと直交する線に対して傾斜する。なお、基部２０Ｃの側面２４Ｃ、２５Ｃと直交する線は、図１３の例では、基部２０Ｃの長手方向の線に対応する。
【００８９】
このように、明部４０Ｃと暗部４１Ｃの境界が傾くことで、光取出面２１Ｃにおいて手前から奥へ延びるような絵画的な奥行き感（遠近感）を醸し出すことができる。これにより、発光した発光面（光取出面２１Ｃ）を見た人に対して、傾斜した明部４０Ｃと暗部４１Ｃの境界を知覚させることができ、傾斜した明部４０Ｃと暗部４１Ｃの境界によって発光面に手前から奥へ延びるような奥行き感を知覚させることができる。これにより、例えば両眼視差を利用しない構成で視覚効果を高めることができる。
【００９０】
なお、輝度分布４Ｃにおける明部４０Ｃと暗部４１Ｃの境界の傾斜角度は、発光面を見る人の視点の位置に応じて様々に変化する。図１４に示す例においても、光取出面２１Ｃの両側縁から延びる明部４０Ｃと暗部４１Ｃの境界が基部２０Ｃの長手方向の中心付近で交わるが、かかる境界の交点は発光面を見る人の視点の位置に応じて、基部２０Ｃの長手方向に沿う向きに移動する。
【００９１】
（変形例３−２）
次に、図１５及び図１６を用いて変形例３−２に係る面状照明装置１Ｄについて説明する。図１５は、変形例３−２に係る面状照明装置を示す正面図である。図１６は、変形例３−２に係る光取出面における輝度分布を示す図である。なお、図１６には、面状照明装置１Ｄを正面における斜め上方から見た場合を示す。また、図１６には、面状照明装置１Ｄの点灯状態のシミュレーション結果を示す。また、図１６に示す輝度分布４Ｄは一例であり、輝度分布４Ｄの態様はこれに限定されない。
【００９２】
図１５に示すように、面状照明装置１Ｄは、光学部材２Ｄと、光源部３Ｄとを備える。光学部材２Ｄは、平板状に形成された透明体である基部２０Ｄを有する。光学部材２Ｄにおいても、図１５に示す一面２１Ｄ（以下、「光取出面２１Ｄ」ともいう）が発光面となる。なお、光学部材２Ｄは、上記した実施形態の光学部材２と同様である。
【００９３】
図１５に示すように、光源部３Ｄは、保持部材３０Ｄと、光源３１と、入光素子３２とを有する。変形例３−２においても、光源部３Ｄは、光学部材２Ｄの基部２０Ｄの一対の側面２４Ｄ、２５Ｄに沿って配置される。光源部３Ｄは、光学部材２Ｄの両端部に一対設けられる。
【００９４】
光源部３Ｄは、光源３１の配置において上記した変形例３−１の光源部３Ｃと相違する。変形例３−２では、保持部材３０Ｄの幅方向（すなわち、基部２０Ｄの側面２４Ｄ、２５Ｄと直交する向き）における他方側に光源３１が配置される。光源部３Ｄの入光素子３２からは基部２０Ｄにおける側面２４Ｄ、２５Ｄと直交する向きの他方半部に向けて光が放射される。例えば変形例１や変形例２のように入光素子３２の両端部の光源３１からの光を均一に放射させる配光性を有する入光素子３２の一方のみに光源３１が配置されることで、面状照明装置１Ｄは、基部２０Ｄの光取出面２１Ｄから明部と暗部とを有する不均一な輝度分布の光を放射することができる。なお、図１５に示す例においても、光取出面２１Ｄから放射される光を、基部２０Ｄの側面２４Ｄ、２５Ｄに沿って輝度の明部と暗部が並んだ輝度分布とすることができる。
【００９５】
図１６に示すように、基部２０Ｄにおける発光エリアである光取出面２１Ｄの垂直方向の輝度分布４Ｄは、輝度の明部４０Ｄと暗部４１Ｄとを有する。このように、光取出面２１Ｄにおける輝度分布４Ｄは、明部４０Ｄと暗部４１Ｄとを有するため、輝度が均一ではない。すなわち、光取出面２１Ｄにおける輝度分布４Ｄは、輝度が不均一である。図１６に示すように、光取出面２１Ｄにおける輝度分布４Ｄでは、保持部材３０Ｄの光源３１が配置される他方側に暗部４１Ｄを有する。暗部４１Ｄは、光源部３Ｄから基部２０Ｄの長手方向に遠いほど側面２４Ｄ、２５Ｄの短手方向の中心に向かい延びる。光取出面２１Ｄにおける輝度分布４Ｄでは、明部４０Ｄと暗部４１Ｄとが基部２０Ｄの側面２４Ｄ、２５Ｄと直交する向きに並ぶ。明部４０Ｄと暗部４１Ｄの境界は、基部２０Ｄの側面２４Ｄ、２５Ｄと直交する線に対して傾斜する。なお、基部２０Ｄの側面２４Ｄ、２５Ｄと直交する線は、図１５の例では、基部２０Ｄの長手方向の線に対応する。
【００９６】
このように、明部４０Ｄと暗部４１Ｄの境界が傾くことで、光取出面２１Ｄにおいて手前から奥へ延びるような絵画的な奥行き感（遠近感）を醸し出すことができる。これにより、発光した発光面（光取出面２１Ｄ）を見た人に対して、傾斜した明部４０Ｄと暗部４１Ｄの境界を知覚させることができ、傾斜した明部４０Ｄと暗部４１Ｄの境界によって発光面に手前から奥へ延びるような奥行き感を知覚させることができる。これにより、例えば両眼視差を利用しない構成で視覚効果を高めることができる。
【００９７】
なお、輝度分布４Ｄにおける明部４０Ｄと暗部４１Ｄの境界の傾斜角度は、発光面を見る人の視点の位置に応じて様々に変化する。図１６に示す例においても、光取出面２１Ｄの両側縁から延びる明部４０Ｄと暗部４１Ｄの境界が基部２０Ｄの長手方向の中心付近で交わるが、かかる境界の交点は発光面を見る人の視点の位置に応じて、基部２０Ｄの長手方向に沿う向きに移動する。
【００９８】
（変形例３−３）
次に、図１７及び図１８を用いて変形例３−３に係る面状照明装置１Ｅについて説明する。図１７は、変形例３−３に係る面状照明装置を示す正面図である。図１８は、変形例３−３に係る光取出面における輝度分布を示す図である。なお、図１８には、面状照明装置１Ｅを正面における斜め上方から見た場合を示す。また、図１８には、面状照明装置１Ｅの点灯状態のシミュレーション結果を示す。また、図１８に示す輝度分布４Ｅは一例であり、輝度分布４Ｅの態様はこれに限定されない。
【００９９】
図１７に示すように、面状照明装置１Ｅは、光学部材２Ｅと、光源部３Ｅとを備える。光学部材２Ｅは、平板状に形成された透明体である基部２０Ｅを有する。光学部材２Ｅにおいても、図１７に示す一面２１Ｅ（以下、「光取出面２１Ｅ」ともいう）が発光面となる。なお、光学部材２Ｅは、上記した実施形態の光学部材２と同様である。
【０１００】
図１７に示すように、光源部３Ｅは、保持部材３０Ｅと、光源３１と、入光素子３２とを有する。変形例３−３においても、光源部３Ｅは、光学部材２Ｅの基部２０Ｅの一対の側面２４Ｅ、２５Ｅに沿って配置される。光源部３Ｅは、光学部材２Ｅの両端部に一対設けられる。
【０１０１】
光源部３Ｅは、光源３１の配置において上記した変形例３−１及び変形例３−２の光源部３Ｃ、３Ｄと異なる。変形例３−３では、一方の保持部材３０１Ｅの幅方向（すなわち、基部２０Ｅの側面２４Ｅ、２５Ｅと直交する向き）における一方側に光源３１が配置される。また、変形例３−３では、他方の保持部材３０２Ｅの幅方向（すなわち、基部２０Ｅの側面２４Ｅ、２５Ｅと直交する向き）における他方側に光源３１が配置される。
【０１０２】
一方の保持部材３０１Ｅに保持された光源部３Ｅの入光素子３２からは、基部２０Ｅにおける側面２４Ｅ、２５Ｅと直交する向きの一方半部に向けて光が放射される。他方の保持部材３０２Ｅに保持された光源部３Ｅの入光素子３２からは、基部２０Ｅにおける側面２４Ｅ、２５Ｅと直交する向きの他方半部に向けて光が放射される。例えば変形例１や変形例２のように入光素子３２の両端部の光源３１からの光を均一に放射させる配光性を有する入光素子３２の一方のみに光源３１が配置されることで、面状照明装置１Ｅは、基部２０Ｅの光取出面２１Ｅから明部と暗部とを有する不均一な輝度分布の光を放射することができる。なお、図１７に示す例においても、光取出面２１Ｅから放射される光を、基部２０Ｅの側面２４Ｅ、２５Ｅに沿って輝度の明部と暗部が並んだ輝度分布とすることができる。
【０１０３】
図１８に示すように、基部２０Ｅにおける発光エリアである光取出面２１Ｅの垂直方向の輝度分布４Ｅは、輝度の明部４０Ｅと暗部４１Ｅとを有する。このように、光取出面２１Ｅにおける輝度分布４Ｅは、輝度が不均一に見える。図１８に示すように、光取出面２１Ｅにおける輝度分布４Ｅでは、基部２０Ｅの長手方向の中心を境界として、一方の保持部材３０１Ｅの光源３１が配置される側（一方側）に暗部４１Ｅを有し、他方の保持部材３０２Ｅの光源３１が配置される側（他方側）に暗部４１Ｅを有する。
【０１０４】
一方側の暗部４１Ｅは、光源部３Ｅから基部２０Ｅの長手方向に遠いほど側面２４Ｅ、２５Ｅの短手方向の中心に向かい延びる。一方、他方側の暗部４１Ｅは、光源部３Ｅから基部２０Ｅの長手方向に遠いほど側面２４Ｅ、２５Ｅの短手方向の一方端部に向かい延びる。光取出面２１Ｅにおける輝度分布４Ｅでは、明部４０Ｅと暗部４１Ｅとが基部２０Ｅの側面２４Ｅ、２５Ｅと直交する向きに並ぶ。明部４０Ｅと暗部４１Ｅの境界は、基部２０Ｅの側面２４Ｅ、２５Ｅと直交する線に対して傾斜する。なお、基部２０Ｅの側面２４Ｅ、２５Ｅと直交する線は、図１７の例では、基部２０Ｅの長手方向の線に対応する。
【０１０５】
このように、明部４０Ｅと暗部４１Ｅの境界が傾くことで、光取出面２１Ｅにおいて手前から奥へ延びるような絵画的な奥行き感（遠近感）を醸し出すことができる。これにより、発光した発光面（光取出面２１Ｅ）を見た人に対して、傾斜した明部４０Ｅと暗部４１Ｅの境界を知覚させることができ、傾斜した明部４０Ｅと暗部４１Ｅの境界によって発光面に手前から奥へ延びるような奥行き感を知覚させることができる。これにより、例えば両眼視差を利用しない構成で視覚効果を高めることができる。
【０１０６】
なお、輝度分布４Ｅにおける明部４０Ｅと暗部４１Ｅの境界の傾斜角度は、発光面を見る人の視点の位置に応じて様々に変化する。図１８に示す例においても、光取出面２１Ｅの両側縁から延びる明部４０Ｅと暗部４１Ｅの境界が基部２０Ｅの長手方向の中心付近で交わるが、かかる境界の交点は発光面を見る人の視点の位置に応じて、基部２０Ｅの長手方向に沿う向きに移動する。
【０１０７】
なお、上記した実施形態及び実施形態の変形例では、光源部が光学部材の基部の一対の側面にそれぞれ配置される構成について説明したが、例えば、光源部が一対の側面のうちいずれか一方のみに配置されてもよい。このように構成しても、光取出面から放射される光は、輝度の明部と暗部とを有し、かつ、基部の長手方向に傾斜する輝度分布となる。
【０１０８】
また、上記した実施形態及び実施形態の変形例では、光源部の構成、吸収面又は散乱面を用いる構成によって光取出面から放射される光を明部と暗部とを有する輝度分布としたが、例えば、ピッチや角度が適宜規定されたプリズム部によって光取出面から放射される光について明部と暗部とを有する輝度分布をとしてもよい。
【０１０９】
また、上記した実施形態の変形例では、光源部ごとに１つの入光素子を備える構成としたが、例えば、入光素子が複数積層されてもよい。また、入光素子が楔状に形成されて光源を片辺に配置してもよいし、楔状の入光素子を対向して配置してもよい。楔状の入光素子を片辺に配置する場合、例えば、入光素子を、基部の短手方向に沿って一方向に向かうにつれて厚みが薄くなるように形成する。また、楔状の入光素子を対向して配置する場合、例えば、２つの入光素子を、基部の短手方向に沿って一方向又は他方向に向かうにつれて厚みが薄くなるように形成し、互いの傾斜面を対向させて配置する。その他、入光素子は、放射される光の輝度が不均一になるように部分的に角度調整されたプリズムが形成されてもよいし、プリズムを部分的に形成しなくてもよい。また、入光素子と基部の側面との間に透過率が制御された部材を配置してもよい。
【０１１０】
なお、上述した面状照明装置は、自動車のハイマウントに用いられてもよい。例えば、面状照明装置は、自動車のリアウインドに取り付けられてもよい。また、光学部材は、自動車用に限定されず、種々の用途の面状照明装置に用いられてもよい。
【０１１１】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【０１１２】
１      面状照明装置
２      光学部材
２０    基部
２４    側面
２５    側面
３      光源部
４      輝度分布
４０    明部
４１    暗部
【図１】
2017204367.tif 000003
【図２】
2017204367.tif 000004
【図３】
2017204367.tif 000005
【図４】
2017204367.tif 000006
【図５】
2017204367.tif 000007
【図６】
2017204367.tif 000008
【図７】
2017204367.tif 000009
【図８】
2017204367.tif 000010
【図９】
2017204367.tif 000011
【図１０】
2017204367.tif 000012
【図１１】
2017204367.tif 000013
【図１２】
2017204367.tif 000014
【図１３】
2017204367.tif 000015
【図１４】
2017204367.tif 000016
【図１５】
2017204367.tif 000017
【図１６】
2017204367.tif 000018
【図１７】
2017204367.tif 000019
【図１８】
2017204367.tif 000020